(57)【要約】  デジタル音声信号が出力される電子機器と接続されるコネクタと、コネクタを通じて供給されるデジタル音声信号をアナログ音声信号に変換する機能を有するＩＣと、ＩＣから出力されるアナログ音声信号の出力部を備え、ＩＣには、著作権保護の必要なデジタル音声信号を電子機器が出力することを許可するための暗号キーが保持されている変換ケーブルである。  図３
2020008823.tif 000002
【特許請求の範囲】
【請求項１】
デジタル音声信号が出力される電子機器と接続されるコネクタと、
前記コネクタを通じて供給されるデジタル音声信号をアナログ音声信号に変換する機能を有するＩＣと、
前記ＩＣから出力されるアナログ音声信号の出力部を備え、
前記ＩＣには、著作権保護の必要なデジタル音声信号を電子機器が出力することを許可するための暗号キーが保持されている変換ケーブル。
【請求項２】
電子機器が前記著作権保護の必要なデジタル音声信号を出力するためのアプリケーションを実行する時に，前記暗号キーを使用する認証処理を行う請求項１に記載の変換ケーブル。
【請求項３】
電子機器が著作権保護の不要なデジタル音声信号を出力するためのアプリケーションを実行する時に，前記暗号キーを使用する認証処理を行わない請求項１に記載の変換ケーブル。
【請求項４】
電子機器と前記コネクタの間の信号線が、差動伝送である請求項１に記載の変換ケーブル。
【請求項５】
前記音声信号の出力部は、アナログ用のイヤホンジャック、イヤホン、ヘッドセット又はスピーカである請求項１に記載の変換ケーブル。
【請求項６】
前記ＩＣ及び前記出力部の間が中継ケーブルによって接続された請求項１に記載の変換ケーブル。
【請求項７】
前記中継ケーブルが同軸状構造線であり、前記同軸状構造線のシールト線がデジタル放送受信用アンテナとして機能する請求項１に記載の変換ケーブル。
【請求項８】
前記コネクタがプラグの構成とされ、
前記プラグに対してデジタル放送のＲＦ信号が供給され、
前記プラグに複数のピンからなる第１の配列と複数のピンからなる第２の配列がほぼ平行して設けられており、
前記第１の配列に含まれる第１のピンと、前記第２の配列に含まれ、前記第１のピンの対角に位置する第２のピンの両方又は片方をＲＦ信号供給用に設定した請求項７に記載の変換ケーブル。
【請求項９】
コンテンツ保護が必要なデジタル音声信号を出力するアプリケーションがインストールされ、前記アプリケーションを使用して、接続された変換ケーブルのＩＣが有する鍵によって、前記変換ケーブルの認証を行い、認証が成立した場合のみ、前記変換ケーブルに対してデジタル音声信号を出力するようにした電子機器。
【請求項１０】
前記電子機器が、スマートフォンやタブレット等のモバイル機器である請求項９に記載の電子機器。
【請求項１１】
接続端子に対してユニットが接続自在とされ、前記変換ケーブルの認証が成立した場合に、前記ユニットから前記変換ケーブルに対してデジタル音声信号を出力するようにした請求項９に記載の電子機器。
【発明の詳細な説明】
【技術分野】
【０００１】
本技術は、デジタル−アナログ変換機能を有する変換ケーブル及び電子機器に関する。
【背景技術】
【０００２】
従来では、電子機器例えばスマートフォンやタブレットのオーディオ出力のために、アナログ出力の３．５mm径のジャック（所謂ミニジャック）が使用されており、デジタル出力がされることもなく、著作権保護をする必要がなかった。しかしながら、カメラの複眼化、電池のサイズアップ、対応周波数の増加による搭載アンテナの増加の影響を受けて、海外のスマートフォンを中心に、３．５mm径のジャックが削除されつつあり、国内においても、同様の傾向がみられる。【０００３】
かかるジャックに代えて、最近では、スマートフォンが出力するオーディオ信号の品質を向上させるために、デジタルアナログコンバータ（ＤＡＣ（Digital Analog Converter）と適宜表記する）内蔵のアンプを有する接続ケーブルが使用されつつある。接続ケーブルは、スマートフォンのＬｐｇｈｔｎｉｎｇ端子又はＵＳＢ(Universal Serial Bus)端子と接続可能とされている。スマートフォンから出力されたデジタルオーディオ信号がＤＡＣによってアナログオーディオ信号に変換され、さらに、アンプによって増幅されて出力される。さらに、この接続ケーブルは、アナログオーディオ信号用のジャック（例えば３．５mm径）を有しており、ユーザは、自分の持っているヘッドホンを接続することができるようになされている。【０００４】
音楽コンテンツについては、ＤＲＭ(Digital Rights Management）（デジタルコンテンツの管理システム)が廃止されており、スマートフォンからデジタル音声信号が出力されても問題がなかった。しかしながら、地上波デジタル放送の音声の出力は、著作権の保護が必要なために、デジタル出力が禁止されている。したがって、例えばＵＳＢ  Ｔｙｐｅ−Ｃコネクタを使ってデジタル音声を出力する場合、音楽は、問題ないが、地上波デジタル放送の音声を出力することができない問題が生じる。例えば特許文献１には、アクセサリデバイスの認証に関する技術が開示されている。
【先行技術文献】
【特許文献】
【０００５】
【特許文献１】特開２０１０−１８３６７１号公報
【発明の概要】
【発明が解決しようとする課題】
【０００６】
上述したように、デジタル音声信号を電子機器から出力する場合に、著作権保護が必要なデジタル音声信号と、これが不要なデジタル音声信号の両方が混在する。このような状況では、常にアクセサリデバイスを認証する必要性が少ない。【０００７】
したがって、本技術の目的は、著作権保護が必要なデジタル音声信号を出力する場合にのみ認証を行うことができる変換ケーブル及び電子機器を提供することにある。
【課題を解決するための手段】
【０００８】
本技術は、デジタル音声信号が出力される電子機器と接続されるコネクタと、
コネクタを通じて供給されるデジタル音声信号をアナログ音声信号に変換する機能を有するＩＣと、
ＩＣから出力されるアナログ音声信号の出力部を備え、
ＩＣには、著作権保護の必要なデジタル音声信号を電子機器が出力することを許可するための暗号キーが保持されている変換ケーブルである。
また、本技術は、コンテンツ保護が必要なデジタル音声信号を出力するアプリケーションがインストールされ、アプリケーションを使用して、接続された変換ケーブルのＩＣが有する鍵によって、変換ケーブルの認証を行い、認証が成立した場合のみ、変換ケーブルに対してデジタル音声信号を出力するようにした電子機器である。
【発明の効果】
【０００９】
少なくとも一つの実施形態によれば、認証が成立した変換ケーブルに対してのみ、著作権保護が必要なデジタル音声信号を出力することができる。なお、ここに記載された効果は必ずしも限定されるものではなく、本技術中に記載されたいずれかの効果又はそれらと異質な効果であっても良い。また、以下の説明における例示された効果により本技術の内容が限定して解釈されるものではない。
【図面の簡単な説明】
【００１０】
【図１】図１は本技術の使用形態の説明に使用する略線図である。
【図２】図２は著作権保護が不要なデジタル音声信号を出力する場合のシステムの説明に用いるブロック図である。
【図３】図３は著作権保護が必要なデジタル音声信号を出力する場合のシステムの説明に用いるブロック図である。
【図４】図４は本技術の第１の実施形態の使用状態の説明に用いる略線図である。
【図５】図５は著作権保護が不要なデジタル音声信号を出力するための処理の説明に用いるフローチャートである。
【図６】図６は著作権保護が必要なデジタル音声信号を出力するための処理の一例の説明に用いるフローチャートである。
【図７】図７は著作権保護が必要なデジタル音声信号を出力するための処理の他の例の説明に用いるフローチャートである。
【図８】図８は暗号キーを使用した認証処理の一例を説明するための略線図である。
【図９】図９は著作権保護が必要なデジタル音声信号を出力するための処理のさらに他の例の説明に用いるフローチャートである。
【図１０】図１０は著作権保護が必要なデジタル音声信号を出力するための処理のよりさらに他の例の説明に用いるフローチャートである。
【図１１】図１１は暗号キーを使用した認証処理の他の例を説明するための略線図である。
【図１２】図１２は本技術の第２の実施形態の説明に用いる略線図である。
【図１３】図１３は本技術の第３の実施形態の説明に用いる略線図である。
【発明を実施するための形態】
【００１１】
以下に説明する実施形態は、本技術の好適な具体例であり、技術的に好ましい種々の限定が付されている。しかしながら、本技術の範囲は、以下の説明において、特に本技術を限定する旨の記載がない限り、これらの実施形態に限定されないものとする。
なお、本技術の説明は、下記の順序にしたがってなされる。
＜１．本技術の第１の実施形態＞
＜２．本技術の第２の実施形態＞
＜３．本技術の第３の実施形態＞
＜４．変形例＞
【００１２】
＜１．本技術の第１の実施形態＞
「使用形態」
図１を参照して従来の使用形態と第１の実施形態の使用形態の概略について説明する。図１Ａに示すように、従来では、ステレオイヤホン１Ｒ，１Ｌ（両者を区別する必要がない場合は、単にイヤホン１と称する）を使用して電子機器１０のアナログ音声出力を聞くようにしていた。イヤホン１は、機器１０の音声出力用として備えられている３．５mm径のオーディオジャックに挿入されるイヤホンプラグ２とイヤホンケーブル３を有する。電子機器１０は、スマートフォン、タブレット、ＰＣ、デジタルオーディオプレーヤーなどである。なお、イヤホン１の代わりにイヤホンとマイクロホンが組み合わされたヘッドセットを使用してもよい。
【００１３】
近年は、電子機器１０のスペース効率の問題から、イヤホンジャックが搭載されず、例えば、ＵＳＢ  Ｔｙｐｅ−Ｃのコネクタのみの機種も増えつつある。本技術は、このような電子機器に対して適用される変換ケーブルを提供するものである。すなわち、図１Ｂに示すように、電子機器（以下、単に機器と適宜称する）１００に備えられている端子例えばＵＳＢ  Ｔｙｐｅ−ＣのようなＵＳＢコネクタ（ＵＳＢレセプタクル）からデジタル音声を出力する場合に適用される。さらに、本技術は、ＵＳＢインターフェースに限定されるものではなく、モバイル機器と周辺機器を接続するために使われるコネクタ（Ｌｉｇｈｔｎｉｎｇも含む）でも実現可能である。
【００１４】
機器１００は、スマートフォン、タブレット、ＰＣ、デジタルオーディオプレーヤーなどである。機器１００のコネクタ例えばＵＳＢ  Ｔｙｐｅ−Ｃのコネクタに対して変換ケーブル１０１のコネクタ例えばＵＳＢ  Ｔｙｐｅ−Ｃのプラグが接続可能とされている。変換ケーブル１０１は、コネクタを通じて供給されるデジタル音声信号をアナログ信号に変換する機能を有するＩＣ(Integrated Circuit)を備えている。このＩＣは、中継ケーブル１３を介してアナログ音声信号の出力部として、イヤホンジャック１２が接続されている。ＩＣには、著作権保護が必要なデジタル音声信号を機器１００が出力することを許可するための暗号キーが保持されている。
【００１５】
第１の実施形態では、ＩＣが機器１００と離れた場合に暗号キーが盗まれるおそれが高くなることを考慮して、プラグとＩＣが一体の構成とされ、以下の説明では、この部分をＤＡＣ付ＵＳＢプラグ１１と称する。イヤホンジャック１２に対しては、従来と同様のイヤホン１を接続することができる。ＤＡＣは、デジタル音声データをアナログ音声データに変換する回路であり、必要に応じて音声信号を増幅するアンプの機能も備えている。さらに、ＤＡＣ付ＵＳＢプラグ１１は、後述する認証のための通信及び処理を行う機能を有している。
【００１６】
なお、ＵＳＢプラグとＤＡＣが一体化された構成の代わりに両者を分離した構成も可能である。また、認証のための通信及び処理を行う機能を備えるＩＣを別に備えてもよい。さらに、変換ケーブル１０１の変形例として、中継ケーブル１３を有しない構成も可能である。さらに、従来のイヤホン１をそのまま使用可能とするために、イヤホンジャック１２を備えているが、イヤホンジャック１２を省略し、ＤＡＣ付ＵＳＢプラグ１１に対してイヤホン１を接続するようにしてもよい。さらに、イヤホン１の代わりにスピーカを接続してもよい。さらに，ヘッドセットをイヤホンに代えて使用できる。
【００１７】
本技術は、著作権保護が必要なデジタル音声信号が機器１００から出力される場合に対して適用される。例えば地上デジタル放送を機器１００（例えばスマートフォン）によって視聴する方法としては次のような方法がある。
【００１８】
第１の方法は、機器１００に搭載されているチューナを用いて視聴するものである。
第２の方法は、チューナが内蔵されたルーターを用いてＷｉ−Ｆｉ（登録商標）経由で視聴するものである。
第３の方法は、ＬＡＮ及びモバイル環境において、配信された番組を専用の端末からＤＴＣＰ−ＩＰ経由で機器１００でリアルタイムに視聴したり、あらかじめ転送された番組を視聴する方法である。
これらのいずれの視聴方法においても、機器１００が番組のデジタル音声信号を出力することは制限されている。
【００１９】
「システム構成」
図２は、機器１００と変換ケーブル１３のＤＡＣ付ＵＳＢプラグ１１の構成と、両方の接続関係を示している。機器１００は、著作権保護が不要なデジタル音声信号を出力するためにインストールされているアプリケーション（以下、アプリと適宜称する）１５及びＵＳＢのＡｕｄｉｏクラスドライバー２２を含んでいる。ＤＡＣ付ＵＳＢプラグ１１は、機器１００のＵＳＢコネクタと接続され、ＵＳＢバス１０２が形成される。図２では、ヘッドセットを使用する例であって、ＤＡＣ付ＵＳＢプラグ１１からイヤホン（イヤホンジャック１２）に対して出力される音声信号と、マイクロホン（図示せず）から供給される音声信号の経路が示されている。さらに、機器１００とＤＡＣ付ＵＳＢプラグ１１の間のＵＳＢバス１０２を通じて、これらの音声信号に対応するデジタル音声信号が入出力される。
【００２０】
機器１００と変換ケーブル１０１のＤＡＣ付ＵＳＢプラグ１１が機器１００のＵＳＢコネクタに挿入されると，ＵＳＢオーディオの規格に従って、機器１００内のＯＳ(Operating System)に含まれているＵＳＢのＡｕｄｉｏクラスドライバー２２によって、変換ケーブル１０１が認識される。機器１００側で音声再生（ＯＵＴ転送）を要求した場合、アプリ１５からの出力データは、Ａｕｄｉｏクラスドライバー２２を介してＵＳＢの通信形式に則った形式(パケット)に変換された上で、ＵＳＢバス１０２上に送られる。
【００２１】
変換ケーブル１０１側のＤＡＣ付ＵＳＢプラグ１１では受け取ったデジタル音声信号のパケットデータから音声信号を復号し、アナログ音声信号としてイヤホン１に出力する。また、イヤホン１に加えてマイクロホンも付属する携帯電話で使用するヘッドセット付きケーブルにおいて、ＩＮ転送を要求した場合には逆に、マイクロホンなどからデバイスが取得した音声信号が変換ケーブル１０１が備えるＤＡＣ  ＩＣを介して、パケットに変換され、ＵＳＢバス１０２を経由して機器１００側に渡される。機器１００側のＡｕｄｉｏクラスドライバー２２は受け取ったパケットから音声データを取り出し、アプリへと渡す。
【００２２】
以上の処理は、著作権保護が不要なＵＳＢオーディオ規格に準拠したデジタル音声信号の出力の方法である。本技術は、デジタル出力される音声信号に著作権保護が必要な場合に適用されるものである。本技術では、機器１００に著作権保護が必要なデジタル音声信号を出力するためのアプリ例えばデジタル放送視聴用のアプリ２１が予めインストールされている。
【００２３】
アプリ２１は、暗号キーを有しており、ＤＡＣ付ＵＳＢプラグ１１内に具備されるＩＣに予め格納してある暗号キーと自身の暗号キーを比較し、両者の対応関係が大丈夫であれば、はじめて、デジタル音声信号をＤＡＣ付ＵＳＢプラグ１１に出力することが許可される。また、この暗号キーを一定時間ごとに、機器１００側が、ＤＡＣ付ＵＳＢプラグ１１に確認する監視により、保護の有効度をあげることが可能となる。なお、暗号キーは、機器１００のアプリ２１が変換ケーブル１０１を認証するための鍵のことであり、暗号化してもしなくてもよい。また、機器１００が出力するデジタル音声信号は、暗号化されていない。但し、暗号化するようにしてもよい。
【００２４】
かかる本技術は、下記の効果を奏する。
変換ケーブル１０１を変更することなく、アプリの違いによって、著作権の保護が必要な音声情報の場合のみ、著作権が保護できる。したがって、変換ケーブルの汎用性の低下を防止することができ、ユーザの余計な操作が不要とできる。
音声信号の暗号化及び／又は復号化のための処理部が不要で、構成の簡略化、コストダウンを図ることができる。
本技術は、従来の構成からの変更が軽微で済む。
なお、機器１００が出力するデジタル音声信号を暗号化してもよいが、地上デジタル放送の場合などは、音声処理に時間がかかり、映像と音声の同期がずれる可能性がある。この問題を解決するための装置が必要となり、構成が複雑化するおそれがある。
【００２５】
「第１の実施形態の処理」
次に、本技術の一実施形態の処理について説明する。図４に示すように、機器１００（例えばスマートフォン）に対して変換ケーブル１０１のＤＡＣ付ＵＳＢプラグ１１を挿入し、変換ケーブル１０１のイヤホンジャック１２にイヤホン１のイヤホンプラグ２を接続することによって、スマートフォン１１０の出力するデジタル音声信号を聴くようになされる。出力されるデジタル音声信号としては、著作権保護が不要なデジタル音声信号と、著作権保護が必要なデジタル音声信号がある。本技術では、起動するアプリの種類に応じて何れのデジタル音声信号もイヤホン１によって聴くことができる。著作権保護が必要なデジタル音声信号は、例えば地上デジタル放送の音声データである。
【００２６】
図５のフローチャートを参照して著作権保護が不要なデジタル音声信号を聴く場合の処理の一例を説明する。フローチャートに示される処理は、機器１００のアプリ１５の制御によって実行される。
ステップＳ１：機器１００のＵＳＢコネクタに変換ケーブル１０１のＤＡＣ付ＵＳＢプラグ１１が挿入される。変換ケーブル１０１のイヤホンジャック１２に対してイヤホンプラグ２が挿入されている。機器１００のＵＳＢ  Ａｕｄｉｏクラスドライバーによって、変換ケーブル１０１がＵＳＢオーディオ対応機器と認識される。ユーザの操作に応じてアプリ１５が起動される。
ステップＳ２：機器１００のアプリ１５によって音声が再生され、機器１００からデジタル音声信号が出力される。
ステップＳ３：ＤＡＣ付ＵＳＢプラグ１１内のＤＡＣによってデジタル音声信号がアナログ音声信号に変換される。アナログ音声信号がイヤホン１に供給され、イヤホン１を通じて音声信号を聴くことができる。
【００２７】
図６のフローチャートを参照して著作権保護が必要なデジタル音声信号を聴く場合の処理の一例について説明する。フローチャートに示される処理は、機器１００のアプリ２１の制御によって実行される。この種のデジタル音声信号を聴くことは、ＤＡＣ  ＩＣの内部又は外部に高いセキュリティでもって予め所定の暗号キーが格納されている正規の変換ケーブルのみが可能とされている。
ステップＳ１１：機器１００のＵＳＢコネクタに変換ケーブル１０１のＤＡＣ付ＵＳＢプラグ１１が挿入される。変換ケーブル１０１のイヤホンジャック１２に対してイヤホンプラグ２が挿入されている。
ステップＳ１２：機器１００のＵＳＢ  Ａｕｄｉｏクラスドライバーによって、変換ケーブル１０１がＵＳＢオーディオ対応機器かどうか認証される。なお、図５に示すフローチャートの処理においても図示しないが、ケーブルの認証処理がなされる。
ステップＳ１３：ステップＳ１２において、対応機器として認証されない場合（ＮＧ）では、対応機器ではない旨のメッセージを画面に表示する。そして、ステップＳ１１に処理が戻る。
【００２８】
ステップＳ１４：ステップＳ１２において、変換ケーブルがＵＳＢオーディオ対応機器と認証される場合（ＯＫ）では、ユーザの操作に応じたアプリ例えば地上デジタル放送視聴アプリ２１が起動される。
ステップＳ１５：暗号キーの照合がなされる。すなわち、アプリ側の暗号キーと変換ケーブル側の暗号キーが一致するか否かを判定することによって、変換ケーブル１０１が正規の変換ケーブルかどうかの認証がなされる。なお、以下の説明では、一致／不一致を照合結果としているが、不一致であっても、二つの暗号キーが所定の関係にある場合も照合の結果をＯＫとしてもよい。暗号キーの照合処理の具体例については後述する。照合をするタイミングはアプリ側で制御され、一定時間毎に照合を行う、ケーブルの抜き差しが検出されたら照合を行う、機器で画面遷移が行われたら照合を行う、又は音声が途切れないようなタイミングで照合を行うなどが考えられる。
ステップＳ１６：変換ケーブルが正規のものと判定される場合、すなわち、ステップＳ１５の照合結果がＯＫの場合には、地上デジタル放送の番組のデジタル音声データが機器１００から出力される。
【００２９】
ステップＳ１７：ステップＳ１６の照合の結果、アプリ側の暗号キーと変換ケーブル側の暗号キーが不一致の場合、正規の変換ケーブルの挿入を促すようなメッセージが表示され、アプリが終了する。そして、処理がステップＳ１１に戻る。
ステップＳ１８：ステップＳ１５において、暗号キーの照合を行っているが、最初の照合結果のみでは、信頼性が低いと考えられる場合、暗号キーの監視がなされる。暗号キーの照合後、デジタル音声出力中に暗号キーの照合を行う。照合結果がＮＧの場合には、ステップＳ１７の処理がなされる。この監視処理は、必ずしも設ける必要はない。
【００３０】
ステップＳ１９：ステップＳ１６において、デジタル音声データが出力されると、このデジタル音声データがＤＡＣ付ＵＳＢプラグ１１内のＤＡＣによってアナログ音声信号に変換される。
ステップＳ２０：アナログ音声信号がイヤホンケーブルを通じてイヤホン１に供給され、イヤホン１から音声を聴くことができる。
このように、アプリ側の暗号キーと変換ケーブル側の暗号キーを照合しているので、正規の変換ケーブルが機器に挿入された場合のみ、デジタル音声データが機器から出力される。
【００３１】
図７は、図６に示す処理を一部変形した処理を示すフローチャートである。図６の処理では、ケーブルの認証処理（ステップＳ１２）が機器１００のプラットフォーム（ＯＳ）によってなされている。これに対して、図７の処理では、まず、ユーザの操作に応じたアプリ例えば地上デジタル放送視聴アプリ２１が起動される（ステップＳ１４）。その後に機器１００のＵＳＢコネクタに変換ケーブル１０１のＤＡＣ付ＵＳＢプラグ１１が挿入される（ステップＳ１１）。そして、ケーブル認証の処理（ステップＳ１２）がアプリ２１によってなされる。その後の処理は、図６と同様である。
【００３２】
図８を参照して暗号キーの照合処理（ステップＳ１５）について説明する。正規の変換ケーブルの場合のＤＡＣ付ＵＳＢプラグ１１は、既知の暗号キーを有している。「既知」とは、機器１００のアプリ２１及び変換ケーブル１０１のＩＣの間で共有している鍵情報を意味する。
ステップＳ３１：機器１００のアプリ２１がＤＡＣ付ＵＳＢプラグ１１に対して暗号キーを問いあわせる。但し、この問い合わせを行わず、ＤＡＣ付ＵＳＢプラグ１１が挿入された場合に、ＤＡＣ付ＵＳＢプラグ１１からアプリ２１に対して暗号キーを送るようにしてもよい。
ステップＳ３２：ＤＡＣ付ＵＳＢプラグ１１が応答して暗号キーを機器１００に送る。
ステップＳ３３：暗号キーがアプリ２１の暗号キーと一致するかどうかを判定する照合処理を行う。既知の暗号キーを受け取った場合は、暗号キー同士が一致する。照合の結果（ＯＫ／ＮＧ）が取得される。
【００３３】
図９のフローチャートを参照して著作権保護が必要なデジタル音声信号を聴く場合の処理の他の例について説明する。上述した処理の一例と対応する部分には、同一の参照符号を付すことにする。
ステップＳ１１：機器１００のＵＳＢコネクタに変換ケーブル１０１のＤＡＣ付ＵＳＢプラグ１１が挿入される。変換ケーブル１０１のイヤホンジャック１２に対してイヤホンプラグ２が挿入されている。
ステップＳ１２：機器１００のＵＳＢ  Ａｕｄｉｏクラスドライバーによって、変換ケーブル１０１がＵＳＢオーディオ対応機器かどうか認証される。
ステップＳ１３：ステップＳ１２において、対応機器として認証されない場合（ＮＧ）では、対応機器ではない旨のメッセージを画面に表示する。
【００３４】
ステップＳ１４：ステップＳ１２において、変換ケーブルがＵＳＢオーディオ対応機器と認証される場合（ＯＫ）では、ユーザの操作に対応したアプリ例えばテレビジョン視聴アプリが起動される。
ステップＳ１５：暗号キーの照合がなされる。すなわち、アプリ側の暗号キーと変換ケーブルから受け取った暗号キーが一致するか否かを判定することによって、変換ケーブル１０１が正規の変換ケーブルかどうかの認証がなされる。暗号キーの照合処理の具体例については後述する。照合をするタイミングはアプリ側で制御され、一定時間毎に行う、ケーブルの抜き差しが検出されたら行う、機器で画面遷移が行われたら行う、又は音声が途切れないようなタイミングで行うなどが考えられる。
ステップＳ１６：変換ケーブルが正規のものと判定される場合、すなわち、ステップＳ１５の照合結果がＯＫの場合には、デジタル音声データが機器１００から出力される。
【００３５】
図１０は、図９に示す処理を一部変形した処理を示すフローチャートである。図９の処理では、ケーブルの認証処理（ステップＳ１２）が機器１００のプラットフォーム（ＯＳ）によってなされている。これに対して、図１０の処理では、まず、ユーザの操作に応じたアプリ例えば地上デジタル放送視聴アプリ２１が起動される（ステップＳ１４）。その後に機器１００のＵＳＢコネクタに変換ケーブル１０１のＤＡＣ付ＵＳＢプラグ１１が挿入される（ステップＳ１１）。そして、ケーブル認証の処理（ステップＳ１２）がアプリ２１によってなされる。その後の処理は、図９と同様である。
【００３６】
図１１を参照して暗号キーの照合処理（ステップＳ２１及びステップＳ２２）について説明する。変換ケーブル１０１のＤＡＣ付ＵＳＢプラグ１１は、既知の初期暗号キーを有しており、アプリ２１は、既知の暗号キー情報と固体暗号キー情報を有している。
ステップＳ４１：変換ケーブル１０１が機器１００に挿入されると、機器１００のアプリ２１がＤＡＣ付ＵＳＢプラグ１１に対して初期暗号キーを問いあわせる。
ステップＳ４２：ＤＡＣ付ＵＳＢプラグ１１が応答して初期暗号キーを機器１００に送る。
ステップＳ４３：アプリ２１は、受け取ったキーが初期暗号キーと一致するかどうかを判断する。
【００３７】
ステップＳ４４：アプリ２１は、受け取ったキーが初期暗号キーの場合には、固体暗号キーをＤＡＣ付ＵＳＢプラグ１１に対して渡す。
ステップＳ４５：ＤＡＣ付ＵＳＢプラグ１１が受け取った固体暗号キーを保管し、保管した固体暗号キーをアプリ２１に対して通知する。
ステップＳ４６：アプリ２１は、ＤＡＣ付ＵＳＢプラグ１１が保管した暗号キーがステップＳ４４で渡した固体暗号キーと一致するかどうかを判定する。ＤＡＣ付ＵＳＢプラグ１１が保管した固体暗号キーがアプリ２１が渡した暗号キーと一致する場合、ＤＡＣ付ＵＳＢプラグ１１とアプリ２１がペアリングされる。ペアリング（認証）が成立したＤＡＣ付ＵＳＢプラグ１１以外には、デジタル音声データが出力されない。
【００３８】
上述した暗号キーの照合処理の他の例は、アプリ２１によって暗号キーを変換ケーブル１０１のＤＡＣ付ＵＳＢプラグ１１に渡し、ＤＡＣ付ＵＳＢプラグ１１が受け取った暗号キーを登録するので、初期暗号キーを有する変換ケーブルであれば、異なる機器とのペアリングができ、変換ケーブル１０１の汎用性が向上する。
【００３９】
＜２．本技術の第２の実施形態＞
図１２を参照して本技術の第２の実施形態について説明する。第２の実施形態は、第１の実施形態と同様に、ＤＡＣ付ＵＳＢプラグ１１及びイヤホンジャック１２が中継ケーブル１３によって接続されている構成の変換ケーブル１０１を使用する。さらに、この変換ケーブル１０１を利用してアンテナ例えば地上デジタル放送の受信アンテナを構成するようにしたものである。
【００４０】
図１２において、ＵＳＢプラグ例えばＵＳＢ  Ｔｙｐｅ−ＣのプラグＰＬとＤＡＣ５１が示されている。ＤＡＣ５１は、デジタル音声信号をアナログ音声信号に変換する機能と共に、機器１００との間で認証のための通信を行う機能を備えたＩＣである。プラグＰＬのピンの中で、本技術と関係するピンとの接続関係が図示されている。なお、本技術は、ＵＳＢ  Ｔｙｐｅ−Ｃの規格以外のリバーシブルな仕様例えばＬｉｇｈｔｎｉｎｇなどに対しても適用可能なものである。また、本明細書において、ＲＦ信号又はアンテナ信号の用語は、アンテナ自身の出力信号（増幅した信号を含む）、ＲＦコネクタを介して供給される外部アンテナからのアンテナ信号、アンテナ信号を周波数変換して無線伝送される信号等を含む意味で使用される。
【００４１】
イヤホンジャック１２に対して一例として４極のイヤホンプラグ５５が挿入可能とされている。この場合、中継ケーブル１３には、左チャネル信号（レフト）、右チャネル信号（ライト）を含む５本の伝送路が形成される。さらに、中継ケーブル１３として編組銅線の構成のシールド線５２を有するケーブル使用し、シールド線５２によってアンテナケーブルを構成する。アンテナケーブルは、機器１００内のチューナのアンテナ信号入力端子と接続される。ＤＡＣ付ＵＳＢプラグ１１と中継ケーブル１３の間に高周波遮断部品５３が介在されている。この高周波遮断部品５３は、受信したい周波数では、高いインピーダンスを持つものであり、インダクタ、フェライトビーズ等である。
【００４２】
「ＵＳＢ  Ｔｙｐｅ−Ｃについて」
ＵＳＢ  Ｔｙｐｅ−Ｃは、表裏のどちらの面を上にしてもレセプタクルに挿入できるリバーシブルのコネクタであり、且つ、パワーデリバリー、高速伝送を兼ね備えたコネクタである。図１２において、ＵＳＢ  Ｔｙｐｅ−ＣのプラグＰＬの２組のピンの配列が示されている。一方の配列（Ａサイド）及び他方の配列（Ｂサイド）がそれぞれ１２個のピンを有している。プラグＰＬが挿入される側（レセプタクル）も同様に、Ａサイド及びＢサイドにそれぞれ１２個の接点が設けられている。プラグとレセプタクルのＡサイド同士が接続される場合と、Ａサイド及びＢサイドが接続される場合がある。
【００４３】
ＵＳＢ  Ｔｙｐｅ−Ｃにおいてピン割当は下記のように規定されている。
Ａサイド
Ａ１：ＧＮＤ：グラウンド
Ａ２：ＳＳＴＸｐ１：ＵＳＢ３．１で規定されているデータ伝送の＋側
Ａ３：ＳＳＴＸｎ１：ＵＳＢ３．１で規定されているデータ伝送の−側
Ａ４：ＶＢＵＳ  ：バスパワー
Ａ５：ＣＣ１：コンフィギュレーションチャネル
Ａ６：Ｄｐ１（又はＤ＋）：ＵＳＢ２．０で規定されているデータ伝送の＋側
Ａ７：Ｄｎ１（又はＤ−）：ＵＳＢ２．０で規定されているデータ伝送の−側
Ａ８：ＳＢＵ１：サイドバンドユース
Ａ９：ＶＢＵＳ  ：バスパワー
Ａ１０：ＳＳＲＸｎ２：ＵＳＢ３．１で規定されているデータ伝送の−側
Ａ１１：ＳＳＲＸｐ２：ＵＳＢ３．１で規定されているデータ伝送の＋側
Ａ１２：ＧＮＤ：グラウンド
【００４４】
Ｂサイド
Ｂ１２：ＧＮＤ：グラウンド
Ｂ１１：ＳＳＲＸｐ２：ＵＳＢ３．１で規定されているデータ伝送の＋側
Ｂ１０：ＳＳＲＸｎ２：ＵＳＢ３．１で規定されているデータ伝送の−側
Ｂ９：ＶＢＵＳ  ：バスパワー
Ｂ８：ＳＢＵ２：サイドバンドユース
Ｂ７：Ｄｎ２（又はＤ＋）：ＵＳＢ２．０で規定されているデータ伝送の＋側
Ｂ６：Ｄｐ２（又はＤ−）：ＵＳＢ２．０で規定されているデータ伝送の−側
Ｂ５：ＣＣ２：コンフィギュレーションチャネル
Ｂ４：ＶＢＵＳ  ：バスパワー
Ｂ３：ＳＳＴＸｎ２：ＵＳＢ３．１で規定されているデータ伝送の−側
Ｂ２：ＳＳＴＸｐ２：ＵＳＢ３．１で規定されているデータ伝送の＋側
Ｂ１：ＧＮＤ：グラウンド
【００４５】
一例として、ＤＡＣ５１に対してプラグＰＬのピンＡ６（Ｄｐ１）及びピンＡ７（Ｄｎ１）からのデータが差動伝送でもって入力される。さらに、ＤＡＣ５１に対してプラグＰＬのピンＡ５（ＣＣ１）及びピンＡ９（ＶＢＵＳ）が接続されている。ＤＡＣ５１から５本のアナログ信号が出力される。受信したい周波数帯に応じた長さを中継ケーブル１３（シールド線５２）が持つように設定されている。すなわち、シールド線５２がモノポールアンテナとして機能する。例えば中継ケーブル１３の長さが約λ／４（λ：受信周波数の波長）に設定されている。シールド線５２がプラグＰＬのピンＡ１及びＢ１に接続される。したがって、アンテナ信号がプラグＰＬ１のピンＡ１及びＢ１に対して供給される。これらのピンＡ１及びＢ１は、ピン配列の対角線方向に位置するピンである。
【００４６】
上述した第２の実施形態における変換ケーブル１０１は、アンテナ付きケーブルとして動作する。例えばテレビジョン放送を機器１００によって受信しながら視聴している番組の音声をイヤホン１によって聴くことができる。さらに、表面及び裏面のどちらを上にしてもプラグＰＬがレセプタクルに挿入された場合にピンＡ１及びＢ１の一方からアンテナ信号がチューナに対して入力される。
【００４７】
＜３．本技術の第３の実施形態＞
図１３Ａ及び図１３Ｂを参照して本技術の第３の実施形態について説明する。第３の実施形態は、機器１００の接続用端子（ＵＳＢ端子又はＬｉｇｈｔｎｉｎｇ）に対して接続自在の受信ユニット（アダプタ、ドングルと称される）２０１を使用する例である。機器１００が地上波デジタル放送を受信する機能を有しない場合に、受信ユニット２０１を接続することによって地上波デジタル放送の受信が可能となる。
【００４８】
図１３Ａに示すように、上述した変換ケーブル１０１のＤＡＣ付ＵＳＢプラグ１１を機器１００のＵＳＢコネクタに対して挿すことによって音声を聴くことができる。受信ユニット２０１にＵＳＢコネクタに対して変換ケーブル１０１のＵＳＢプラグ１１を挿すようにしてもよい。なお、図１３Ｂに示すように、受信ユニット２０１の音声出力をワイヤレスヘッドホン２０２によって聴くことが可能とされている場合に対して本技術を適用することができる。
【００４９】
＜４．変形例＞
以上、本技術の実施形態について具体的に説明したが、上述の各実施形態に限定されるものではなく、本技術の技術的思想に基づく各種の変形が可能である。また、上述の実施形態の構成、方法、工程、形状、材料及び数値などは、本技術の主旨を逸脱しない限り、互いに組み合わせることが可能である。
【符号の説明】
【００５０】
１・・・イヤホン、２・・・イヤホンプラグ、３・・・イヤホンケーブル、
１０，１００・・・電子機器、１０１・・・変換ケーブル、
１２・・・イヤホンジャック、１３・・・中継ケーブル、
１５，２１・・・アプリケーション、５１・・・ＤＡＣ、
５２・・・シールド線
【図１】
2020008823.tif 000003
【図２】
2020008823.tif 000004
【図３】
2020008823.tif 000005
【図４】
2020008823.tif 000006
【図５】
2020008823.tif 000007
【図６】
2020008823.tif 000008
【図７】
2020008823.tif 000009
【図８】
2020008823.tif 000010
【図９】
2020008823.tif 000011
【図１０】
2020008823.tif 000012
【図１１】
2020008823.tif 000013
【図１２】
2020008823.tif 000014
【図１３】
2020008823.tif 000015
【国際調査報告】
2020008823.tif 000016
2020008823.tif 000017
2020008823.tif 000018
2020008823.tif 000019